(57)【要約】    【課題】      ユーザが意識的に操作することなく各機能ブロックに適切に電力供給を行うことができ、低消費電力化を図ること。    【解決手段】  カメラ付き携帯電話機１００は、用途に応じて本体蓋部１００Ａと本体基部１００Ｂとを回転又はスライドさせるヒンジ部１５０と、ヒンジ部１５０の状態を検出するヒンジ部形状センサ１６０と、無線部電源系１１０、アプリケーション部電源系１２０及びカメラ部電源系１３０にそれぞれ個別に電源を供給する電源制御部１４０とを備え、ヒンジ部形状センサ１６０により検出されたヒンジ部１５０の形状から無線部電源系１１０、アプリケーション部電源系１２０、及びカメラ部電源系１３０への通電を個別に制御する。  【選択図】      図１
2007049536.tif 000002
【特許請求の範囲】
【請求項１】
第１本体部と第２本体部とを回動又は摺動可能に繋ぐヒンジ部と、
前記ヒンジ部の状態を検出するヒンジ部形状センサと、
特定の機能を実行する複数の機能部と、
前記複数の機能部に個別に電源を供給する電源供給部とを備え、
前記電源供給部は、前記ヒンジ部形状センサの検出情報を基に前記各機能部への通電を制御する携帯端末装置。
【請求項２】
前記ヒンジ部の状態と前記各機能部とを対応付けて電源設定値として記憶する電源設定記憶部と、
前記電源設定記憶部に記憶される前記電源設定値を入力する入力部とをさらに備える請求項１記載の携帯端末装置。
【請求項３】
前記電源供給部は、前記各機能部に供給する電源をオン／オフ制御する請求項１記載の携帯端末装置。
【請求項４】
前記電源供給部は、前記各機能部に供給する電源電圧を制御する請求項１記載の携帯端末装置。
【請求項５】
前記ヒンジ部形状センサは、電気的又は物理的接触により前記ヒンジ部の状態を検出する請求項１記載の携帯端末装置。
【請求項６】
前記複数の機能部は、情報の送受信を行う通信機能部、通信以外の非通信機能部、撮像機能部、又はゲーム機能部のうち少なくともいずれか一つを有する請求項１記載の携帯端末装置。
【発明の詳細な説明】
【技術分野】
【０００１】
本発明は、電源制御機能を備える携帯電話機などの携帯端末装置に関する。
【背景技術】
【０００２】
近年、携帯電話には多彩なマルチメディア機能が搭載されるようになり、通話のみに留まらずカメラ、ゲーム、ＴＶ電話等様々な用途で使用されるようになった。その一方で、ゲーム等のアプリケーション使用時は通話時と比較して消費電力が大きく、バッテリー駆動時間の長大化が大きな課題となっている。
【０００３】
従来の構成では、着信有無を判別するため常に無線部は待ち受け受信動作を行っており、そのため無線部及びアプリケーション処理部の電源が両方共オンの状態となってしまう。したがって、カメラ機能のみを使用したい場合や、ゲームのみを楽しみたい場合でも無線部において無駄な電力が消費されてしまい、バッテリー駆動時間を短くしてしまっているという問題があった。
【０００４】
例えば特許文献１には、携帯電話に実装される各ＩＣあるいはＬＳＩへの電力供給をオン／オフ可能とするスイッチ素子を配置し、このスイッチ素子への制御情報をＭＰＵ（マイクロプロセッサユニット）から制御することにより、きめ細かな電力制御を行うことで携帯電話の長時間通話、長時間待ち受けを実現する手法が開示されている。
【０００５】
また、特許文献２には、電源スイッチの押下時間によって、電源オン／オフのモードが切替り、電源スイッチを離したときに選択されているモードに電源の投入及び設定状態が決定されることで、必要とする機能のみを起動させることで低消費電力化を図る手法が開示されている。
【特許文献１】特開２００３−１３４２２５号公報
【特許文献２】特開２００３−６９６６９号公報
【発明の開示】
【発明が解決しようとする課題】
【０００６】
しかしながら、このような従来の携帯端末装置にあっては、動作モードに応じて電源の制御をきめ細かく制御できるものの、どの動作モードで使用するかについては、ユーザが電源押下の時間を調整する必要があり、操作が煩わしいという問題がある。
【０００７】
本発明は、上記に鑑みてなされたものであり、ユーザが意識的に操作することなく各機能ブロックに適切に電力供給を行うことができ、低消費電力化を図ることができる携帯端末装置を提供することを目的とする。
【課題を解決するための手段】
【０００８】
本発明の携帯端末装置は、第１本体部と第２本体部とを回動又は摺動可能に繋ぐヒンジ部と、前記ヒンジ部の状態を検出するヒンジ部形状センサと、特定の機能を実行する複数の機能部と、前記複数の機能部に個別に電源を供給する電源供給部とを備え、前記電源供給部は、前記ヒンジ部形状センサの検出情報を基に前記各機能部への通電を制御する構成を採る。
【発明の効果】
【０００９】
本発明によれば、用途に応じてヒンジ部を回転又はスライドさせることができる携帯端末装置において、ユーザが意識的に操作することなく各機能ブロックに適切に電力供給を行うことができ、低消費電力化を図ることができる。例えば、携帯電話機に適用した場合、動作モードに応じて電源の制御をきめ細かく制御することができ、低消費電力化により長時間通話、長時間待ち受けを実現することができる。
【発明を実施するための最良の形態】
【００１０】
以下、本発明の実施の形態について図面を参照して詳細に説明する。
【００１１】
（実施の形態１）
図１は、本発明の実施の形態１に係る携帯端末装置の電源部の構成を示す図である。本実施の形態は、携帯端末装置としてカメラ付き携帯電話機／ＰＨＳ（Personal Handy-Phone System）を適用した例である。また、カメラ付き携帯電話機のほか、カメラ付きＰＨＳ（Personal Handy-Phone System）やＰＤＡ（Personal Digital Assistants：携帯情報端末）などの携帯機器に適用できる。
【００１２】
図１において、カメラ付き携帯電話機（携帯端末装置）１００は、アンテナ１０１、送受信切替部１０２、無線送受信部１０３、ベースバンド信号処理部１０４、無線通信制御部１０５、マイク１０６及びスピーカ１０７からなる無線部に電源を供給する無線部電源系１１０と、液晶表示部１１１、アプリケーション機能部１１２及びアプリケーション処理部１１３からなるアプリケーション部に電源を供給するアプリケーション部電源系１２０と、カメラ付き携帯電話機１００に内蔵されたＣＣＤ（Charge Coupled Device）（エリア型固体撮像素子）カメラ部１２１に電源を供給するカメラ部電源系１３０と、無線部電源系１１０、アプリケーション部電源系１２０及びカメラ部電源系１３０にそれぞれ個別に電源を供給する電源制御部１４０と、用途に応じて本体蓋部１００Ａ（図２）と本体基部１００Ｂとを回転又はスライドさせる支持部材であるヒンジ部１５０と、ヒンジ部１５０の状態を検出するヒンジ部形状センサ１６０と、電源制御部１４０に電源を供給する電池１７０とを備えて構成される。
【００１３】
上記アプリケーション部及びカメラ部は、通話以外の機能を搭載した非通信機能部である。
【００１４】
電源制御部１４０は、ヒンジ部形状センサ１６０の情報を基にユーザの使用用途を判断して無線部電源系１１０、アプリケーション部電源系１２０及びカメラ部電源系１３０の電源オンオフを制御する。
【００１５】
ヒンジ部形状センサ１６０は、ヒンジ部１５０に設置された多接点の電気的スイッチであり、本体蓋部１００Ａ（図２）と本体基部１００Ｂとを回転又はスライドさせた場合の前記スイッチの各接点の接触状態によりヒンジ部１５０の状態を検出する。また、電気的接触に代えて、物理的接触によるメカニカルスイッチを用いてもよい。
【００１６】
図２は、カメラ付き携帯電話機１００の各種機能の使用形態を示す外観図である。
【００１７】
図２において、カメラ付き携帯電話機１００は、操作のためのガイダンスや受信情報，撮像した画像をカラー表示するＬＣＤディスプレイ等からなる表示部１８０を有する本体蓋部１００Ａと、着信，発信，電話機能切り替え，動作決定等を行う電話機能キー，各種機能を切り替えるためのモードキー，上下左右の方向に選択対象を移動させるカーソルキー，カメラの入力を決定するシャッターボタンであるシャッターキー及び電話番号の入力等ダイヤルするダイヤルキーからなる操作部１９０を有する本体基部１００Ｂと、本体蓋部１００Ａと本体基部１００Ｂとを回転又はスライドさせるヒンジ部１５０とを備えて構成される。
【００１８】
図２（ａ）は、カメラ付き携帯電話機１００を通話機能として使用する場合の一般的な使用形態である。このときのヒンジ部１５０は、本体蓋部１００Ａと本体基部１００Ｂとを縦方向に支える。
【００１９】
図２（ｂ）は、カメラ付き携帯電話機１００を撮像機能として使用する場合の使用形態である。このときのヒンジ部１５０は、本体蓋部１００Ａと本体基部１００Ｂとを回転又はスライドして支える。図２（ｂ）の形態は、撮像機能優先若しくは撮像機能のみ使用と考えられるため撮像機能以外の、例えば通話機能はオフすることも可能である。
【００２０】
図２（ｃ）は、カメラ付き携帯電話機１００をゲーム機として使用する場合の使用形態である。このときのヒンジ部１５０は、本体蓋部１００Ａと本体基部１００Ｂとを回転又はスライドして横方向に支える。図２（ｃ）の形態は、ゲーム機能優先若しくはゲーム機能のみ使用と考えられるためゲーム機能以外の、例えば通話機能や撮像機能はオフすることも可能である。
【００２１】
以下、上述のように構成されたカメラ付き携帯電話機の動作を説明する。
【００２２】
図２（ａ）に示すように、ユーザがカメラ付き携帯電話機１００を通話モードの形状で使用する場合、ヒンジ部形状センサ１６０は、ヒンジ部１５０の形状を図１（ａ）に示す通話モードの形状Ａとして検出し、電源制御部１４０にその形状検出情報を送る。電源制御部１４０では、受け取った形状検出情報を基に通話を行うため無線部電源系１１０とアプリケーション部電源系１２０の電源をオンにし、カメラ部電源系１３０をオフにする。この結果、カメラ部１２１において無駄な電力消費がなくなりカメラ付き携帯電話機１００の長時間使用が可能となる。
【００２３】
本実施の形態では、通話時モードでカメラ部電源系１３０をオフにしているが、ＴＶ電話対応の携帯電話で通話モードの形状でＴＶ電話を利用する場合にはカメラ部電源系１３０はオンにして使用する。
【００２４】
また、図２（ｂ）に示すように、ユーザがカメラ付き携帯電話機１００を撮像モードで使用する場合、ヒンジ部形状センサ１６０は、ヒンジ部１５０の形状を図１（ａ）に示す通話モードの形状Ｂとして検出し、電源制御部１４０にその形状検出情報を送る。電源制御部１４０では、受け取った形状検出情報を基に撮像を行うのに最適な電源制御を行い、無線部電源系１１０をオフにし、アプリケーション部電源系１２０の電源をオンにし、カメラ部電源系１３０をオンにする。この結果、撮像時は無線部の電源がオフとなり無線部での無駄な電力消費を避けることができる。
【００２５】
また、図２（ｃ）に示すように、ユーザが携帯電話をゲームモードで使用する場合、ヒンジ部形状センサ１６０は、ヒンジ部１５０の形状を図１（ａ）に示す通話モードの形状Ｃとして検出し、電源制御部１４０にその形状検出情報を送る。電源制御部１４０では、受け取った形状検出情報を基にゲームを行うのに最適な電源制御を行い、無線部電源系１１０をオフにし、アプリケーション部電源系１２０の電源をオンにし、カメラ部電源系１３０をオフにする。この結果、ゲーム時は無線部の電源とカメラ部の電源がオフとなり無線部及びカメラ部での無駄な電力消費を避けることができる。
【００２６】
さらに、撮像時やゲーム時には無線部の電源がオフとなることにより、無線部から電波は送出されないため、病院や飛行機内など携帯電話の使用が禁止されている区域内において撮像やゲームを楽しむことが可能となる。
【００２７】
以上のように、実施の形態１によれば、電源供給部１４０は、ヒンジ部形状センサ１６０により検出されたヒンジ部１５０の形状から無線部電源系１１０、アプリケーション部電源系１２０、及びカメラ部電源系１３０への通電を個別に制御する。例えば、通話モードのヒンジ部１５０の形状ではユーザが通話や通信行う場合は無線部に供給される電源がオンになり、撮像モードのヒンジ部１５０の形状ではカメラ部１２１に供給される電源がオンになると共に無線部に供給される電源が自動的にオフとなる。また、ゲームモードのヒンジ部１５０の形状では、無線部及びカメラ部１２１に供給される電源がオフになる。このように、ユーザが使用用途に応じてヒンジ部１５０の形状を変えると、そのヒンジ部１５０の状態を電源制御部１４０が認識して自動的に各機能ブロックの電源をオン／オフ制御するので、ユーザは意識することなく、またユーザの手を煩わすことなくユーザが使用する機能部に適切に電源供給を行うことができ、装置全体の低消費電力化を達成することができる。カメラ付き携帯電話機１００の低消費電力化により長時間通話、長時間待ち受けを実現することができる。
【００２８】
（実施の形態２）
図３は、本発明の実施の形態２に係る携帯端末装置の構成を示す図である。図１と同一構成部分には同一符号を付して重複箇所の説明を省略する。
【００２９】
図３において、カメラ付き携帯電話機（携帯端末装置）２００は、さらに、使用用途に応じて各ブロックの電源オン／オフ設定を記憶する電源オン／オフ設定記憶部２１０と、各ブロックの電源オン／オフ設定をユーザが外部キーから入力できるキー入力部２２０とを備え、電源制御部１４０は、上記入力情報とヒンジ部形状センサ１６０により検出されたヒンジ部１５０の形状を基にどの電源ブロックをオフするかを設定する。
【００３０】
以下、上述のように構成されたカメラ付き携帯電話機の動作を説明する。
【００３１】
ユーザは好みに応じてヒンジ部１５０の状態を基にどの電源ブロックをオフするかをキー入力部２２０により設定する。設定された情報は、電源オン／オフ設定記憶部２２０に格納される。電源オン／オフ設定記憶部２２０に格納された情報は、電源制御部１４０において、ヒンジ部形状センサ１６０の形状検出情報と共に参照され、各ブロックの電源制御に反映される。この結果、例えば通話モードであってもカメラ機能をオンに設定することが可能となる。
【００３２】
このように、実施の形態２によれば、ヒンジ部１５０の形状の変化に伴って各機能ブロックの電源をどのように制御するかをユーザがあらかじめ設定することができる。これにより、ユーザの好みに応じた設定が可能となる。
【００３３】
上記各実施の形態では、電源制御部１４０は、各機能ブロックの電源を個別にオン／オフしているが、電源をオフするのではなく、データが保持できるレベルに低電圧化する態様も可能である。このように構成すると、例えば撮像モードから一時的に通話モードに切り替え、後に撮像モードに再度切り替えた場合でも、通話モードに切替る前の状態に復帰することが可能となる。
【００３４】
以上の説明は本発明の好適な実施の形態の例証であり、本発明の範囲はこれに限定されることはない。例えば、携帯端末装置として携帯電話機に適用した例について説明しているが、携帯電話機に限らずＰＤＡ等の携帯情報端末、パーソナルコンピュータ又はその融合された装置、さらにはＭＰ３プレーヤー、ＨＤＤプレーヤー、携帯型ゲーム機などの携帯機器に適用可能である。
【００３５】
また、本実施の形態ではカメラ付き携帯電話機、携帯端末装置という名称を用いたが、これは説明の便宜上であり、携帯電話機、携帯機器の電源制御装置及び電源制御方法等であってもよいことは勿論である。
【００３６】
さらに、上記カメラ付き携帯電話機及び携帯端末装置を構成する各回路部、例えば無線部等の種類、数及び接続方法など、さらには特定の機能部の種類などは前述した実施の形態に限られない。
【産業上の利用可能性】
【００３７】
本発明に係る携帯端末装置は、動作時間の長寿命化が求められる複数の機能を備えた携帯電話機などの携帯機器に有用である。
【図面の簡単な説明】
【００３８】
【図１】本発明の実施の形態１に係る携帯端末装置の電源部の構成を示す図
【図２】上記実施の形態１に係る携帯端末装置の各種機能の使用形態を示す外観図
【図３】本発明の実施の形態２に係る携帯端末装置の電源部の構成を示す図
【符号の説明】
【００３９】
１００，２００  カメラ付き携帯電話機（携帯端末装置）
１００Ａ  本体蓋部
１００Ｂ  本体基部
１０１  アンテナ
１０２  送受信切替部
１０３  無線送受信部
１０４  ベースバンド信号処理部
１０５  無線通信制御部
１０６  マイク
１０７  スピーカ
１１０  無線部電源系
１１１  液晶表示部
１１２  アプリケーション機能部
１１３  アプリケーション処理部
１２０  アプリケーション部電源系
１２１  カメラ部
１３０  カメラ部電源系
１４０  電源制御部
１５０  ヒンジ部
１６０  ヒンジ部形状センサ
１７０  電池
１８０  表示部
１９０  操作部
２１０  電源オン／オフ設定記憶部
２２０  キー入力部
【図１】
2007049536.tif 000003
【図２】
2007049536.tif 000004
【図３】
2007049536.tif 000005